【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
ネットワークに参加したデバイスから、特定のプロトコルを用いて、ユニキャストで送信されたネットワーク参加メッセージを受信する受信手段と、
前記ネットワーク参加メッセージを送信したデバイスに対して、外部から、前記ネットワークに接続されたクライアント端末装置と前記特定のプロトコルを用いてユニキャストで情報の通信を行うための設定を行えない際に、前記ネットワーク参加メッセージを送信したデバイスのドライバをプラグアンドプレイでインストールさせる機能が自装置にある否かを判定する判定手段と、
前記判定手段によりドライバをプラグアンドプレイでインストールさせる能力が自装置にあると判定された場合に、前記特定のプロトコルを用いて前記クライアント端末装置と通信を行って、前記クライアント端末装置に前記ネットワーク参加メッセージを送信したデバイスのドライバをインストールさせる処理手段を有することを特徴とする管理装置。
【請求項２】
ネットワークに参加したデバイスから、特定のプロトコルを用いて、ユニキャストで送信されたネットワーク参加メッセージを受信する受信手段と、
前記ネットワーク参加メッセージを送信したデバイスが、前記ネットワークに接続されたクライアント端末装置と前記特定のプロトコルを用いてユニキャストで情報の通信を行う設定を外部から可能とする設定機能を備えるか否かを判定する判定手段と、
前記判定手段が前記ネットワーク参加メッセージを送信したデバイスが前記設定機能を備えると判定した場合には、前記ネットワーク参加メッセージを送信したデバイスのドライバを、前記クライアント端末装置にインストールさせるための処理として、前記特定のプロトコルを用いてユニキャストで情報の通信を行う設定を含むタスクを生成して、当該デバイスに対して該タスクの送信を行う処理手段とを有し、
前記特定のプロトコルを用いてユニキャストで情報の通信を行う設定においては、前記クライアント端末装置のアドレス情報が含まれることを特徴とする管理装置。
【請求項３】
前記判定手段は、前記ネットワーク参加メッセージを送信したデバイスが、さらに当該デバイスのドライバの所在を前記タスクの設定として扱えるか否かを判定し、
前記処理手段は、前記判定手段がドライバの所在を前記タスクの設定として扱えると判定した場合には、前記タスクに前記クライアント端末装置でインストールされるドライバの所在を設定し生成することを特徴とする請求項２に記載の管理装置。
【請求項４】
前記判定手段は、前記ネットワーク参加メッセージを送信したデバイスが前記設定機能を備えていないと判定した場合には、前記ネットワーク参加メッセージを送信したデバイスのドライバをプラグアンドプレイでインストールさせる機能が自装置にある否かを判定し、
前記処理手段は、ドライバをプラグアンドプレイでインストールさせる能力が自装置にあると判定された場合に、前記特定のプロトコルを用いて前記クライアント端末装置と通信を行って、前記クライアント端末装置に前記ネットワーク参加メッセージを送信したデバイスのドライバをインストールさせることを特徴とする請求項２または３に記載の管理装置。
【請求項５】
前記ネットワーク参加メッセージを送信したデバイスから、デバイスの特性を示すデバイス特性情報を受信する第２の受信手段と、
前記デバイス特性情報と、クライアント端末装置とを関連付けて記憶媒体に登録する登録手段とを有し、
前記第２の受信手段により受信されたデバイス特性情報に関連付けられて前記登録手段により登録されたクライアント端末装置を、前記処理手段によるドライバのインストールの処理の対象とすることを特徴とする請求項２乃至４の何れか１項に記載の管理装置。
【請求項６】
ネットワークに参加したデバイスから、特定のプロトコルを用いて、ユニキャストで送信されたネットワーク参加メッセージを受信する受信工程と、
前記ネットワーク参加メッセージを送信したデバイスに対して、外部から、前記ネットワークに接続されたクライアント端末装置と前記特定のプロトコルを用いてユニキャストで情報の通信を行うための設定を行えない際に、前記ネットワーク参加メッセージを送信したデバイスのドライバをプラグアンドプレイでインストールさせる機能が自装置にある否かを判定する判定工程と、
前記判定工程によりドライバをプラグアンドプレイでインストールさせる能力が自装置にあると判定された場合に、前記特定のプロトコルを用いて前記クライアント端末装置と通信を行って、前記クライアント端末装置に前記ネットワーク参加メッセージを送信したデバイスのドライバをインストールさせる処理工程を有することを特徴とする管理方法。
【請求項７】
ネットワークに参加したデバイスから、特定のプロトコルを用いて、ユニキャストで送信されたネットワーク参加メッセージを受信する受信工程と、
前記ネットワーク参加メッセージを送信したデバイスが、前記ネットワークに接続されたクライアント端末装置と前記特定のプロトコルを用いてユニキャストで情報の通信を行う設定を外部から可能とする設定機能を備えるか否かを判定する判定工程と、
前記判定工程が前記ネットワーク参加メッセージを送信したデバイスが前記設定機能を備えると判定した場合には、前記ネットワーク参加メッセージを送信したデバイスのドライバを、前記クライアント端末装置にインストールさせるための処理として、前記特定のプロトコルを用いてユニキャストで情報の通信を行う設定を含むタスクを生成して、当該デバイスに対して該タスクの送信を行う処理工程とを有し、
前記特定のプロトコルを用いてユニキャストで情報の通信を行う設定においては、前記クライアント端末装置のアドレス情報が含まれることを特徴とする管理方法。
【請求項８】
前記判定工程は、前記ネットワーク参加メッセージを送信したデバイスが、さらに当該デバイスのドライバの所在を前記タスクの設定として扱えるか否かを判定し、
前記処理工程は、前記判定工程がドライバの所在を前記タスクの設定として扱えると判定した場合には、前記タスクに前記クライアント端末装置でインストールされるドライバの所在を設定し生成することを特徴とする請求項７に記載の管理方法。
【請求項９】
前記判定工程は、前記ネットワーク参加メッセージを送信したデバイスが前記設定機能を備えていないと判定した場合には、前記ネットワーク参加メッセージを送信したデバイスのドライバをプラグアンドプレイでインストールさせる機能が自装置にある否かを判定し、
前記処理工程は、ドライバをプラグアンドプレイでインストールさせる能力が自装置にあると判定された場合に、前記特定のプロトコルを用いて前記クライアント端末装置と通信を行って、前記クライアント端末装置に前記ネットワーク参加メッセージを送信したデバイスのドライバをインストールさせることを特徴とする請求項７または８に記載の管理方法。
【請求項１０】
前記ネットワーク参加メッセージを送信したデバイスから、デバイスの特性を示すデバイス特性情報を受信する第２の受信工程と、
前記デバイス特性情報と、クライアント端末装置とを関連付けて記憶媒体に登録する登録工程とを有し、
前記第２の受信工程により受信されたデバイス特性情報に関連付けられて前記登録工程により登録されたクライアント端末装置を、前記処理工程によるドライバのインストールの処理の対象とすることを特徴とする請求項７乃至９の何れか１項に記載の管理方法。
【請求項１１】
請求項６乃至１０の何れか１項に記載の管理方法の各工程をコンピュータに実行させることを特徴とするコンピュータプログラム。
【手続補正２】
【補正対象書類名】明細書
【補正対象項目名】発明の名称
【補正方法】変更
【補正の内容】
【発明の名称】管理装置、管理方法、及びコンピュータプログラム
【手続補正３】
【補正対象書類名】明細書
【補正対象項目名】０００１
【補正方法】変更
【補正の内容】
【０００１】
本発明は、管理装置、管理方法、及びコンピュータプログラムに関し、特に、デバイスのドライバをインストールするために用いて好適なものである。
【手続補正４】
【補正対象書類名】明細書
【補正対象項目名】０００７
【補正方法】変更
【補正の内容】
【０００７】
本発明は、このような問題点に鑑みてなされたものであり、クライアントへのドライバのインストールを、サーバ側で一元管理することができるようにすることを目的とする。
【手続補正５】
【補正対象書類名】明細書
【補正対象項目名】０００８
【補正方法】変更
【補正の内容】
【０００８】
本発明の管理装置は、ネットワークに参加したデバイスから、特定のプロトコルを用いて、ユニキャストで送信されたネットワーク参加メッセージを受信する受信手段と、前記ネットワーク参加メッセージを送信したデバイスに対して、外部から、前記ネットワークに接続されたクライアント端末装置と前記特定のプロトコルを用いてユニキャストで情報の通信を行うための設定を行えない際に、前記ネットワーク参加メッセージを送信したデバイスのドライバをプラグアンドプレイでインストールさせる機能が自装置にある否かを判定する判定手段と、前記判定手段によりドライバをプラグアンドプレイでインストールさせる能力が自装置にあると判定された場合に、前記特定のプロトコルを用いて前記クライアント端末装置と通信を行って、前記クライアント端末装置に前記ネットワーク参加メッセージを送信したデバイスのドライバをインストールさせる処理手段を有することを特徴とする。
本発明の管理装置の他の態様例では、ネットワークに参加したデバイスから、特定のプロトコルを用いて、ユニキャストで送信されたネットワーク参加メッセージを受信する受信手段と、前記ネットワーク参加メッセージを送信したデバイスが、前記ネットワークに接続されたクライアント端末装置と前記特定のプロトコルを用いてユニキャストで情報の通信を行う設定を外部から可能とする設定機能を備えるか否かを判定する判定手段と、前記判定手段が前記ネットワーク参加メッセージを送信したデバイスが前記設定機能を備えると判定した場合には、前記ネットワーク参加メッセージを送信したデバイスのドライバを、前記クライアント端末装置にインストールさせるための処理として、前記特定のプロトコルを用いてユニキャストで情報の通信を行う設定を含むタスクを生成して、当該デバイスに対して該タスクの送信を行う処理手段とを有し、前記特定のプロトコルを用いてユニキャストで情報の通信を行う設定においては、前記クライアント端末装置のアドレス情報が含まれることを特徴とする。
【手続補正６】
【補正対象書類名】明細書
【補正対象項目名】０００９
【補正方法】変更
【補正の内容】
【０００９】
本発明の管理方法は、ネットワークに参加したデバイスから、特定のプロトコルを用いて、ユニキャストで送信されたネットワーク参加メッセージを受信する受信工程と、前記ネットワーク参加メッセージを送信したデバイスに対して、外部から、前記ネットワークに接続されたクライアント端末装置と前記特定のプロトコルを用いてユニキャストで情報の通信を行うための設定を行えない際に、前記ネットワーク参加メッセージを送信したデバイスのドライバをプラグアンドプレイでインストールさせる機能が自装置にある否かを判定する判定工程と、前記判定工程によりドライバをプラグアンドプレイでインストールさせる能力が自装置にあると判定された場合に、前記特定のプロトコルを用いて前記クライアント端末装置と通信を行って、前記クライアント端末装置に前記ネットワーク参加メッセージを送信したデバイスのドライバをインストールさせる処理工程を有することを特徴とする。
本発明の管理方法の他の態様例では、ネットワークに参加したデバイスから、特定のプロトコルを用いて、ユニキャストで送信されたネットワーク参加メッセージを受信する受信工程と、前記ネットワーク参加メッセージを送信したデバイスが、前記ネットワークに接続されたクライアント端末装置と前記特定のプロトコルを用いてユニキャストで情報の通信を行う設定を外部から可能とする設定機能を備えるか否かを判定する判定工程と、前記判定工程が前記ネットワーク参加メッセージを送信したデバイスが前記設定機能を備えると判定した場合には、前記ネットワーク参加メッセージを送信したデバイスのドライバを、前記クライアント端末装置にインストールさせるための処理として、前記特定のプロトコルを用いてユニキャストで情報の通信を行う設定を含むタスクを生成して、当該デバイスに対して該タスクの送信を行う処理工程とを有し、前記特定のプロトコルを用いてユニキャストで情報の通信を行う設定においては、前記クライアント端末装置のアドレス情報が含まれることを特徴とする。
【手続補正７】
【補正対象書類名】明細書
【補正対象項目名】００１０
【補正方法】変更
【補正の内容】
【００１０】
本発明のコンピュータプログラムは、前記管理方法の各工程をコンピュータに実行させることを特徴とする。
【手続補正８】
【補正対象書類名】明細書
【補正対象項目名】００１１
【補正方法】変更
【補正の内容】
【００１１】
本発明によれば、クライアントへのドライバのインストールを、サーバ側で一元管理することができる。